(57)【要約】【課題】  各層の屈折率もしくは厚みの最適化を図ることにより、黒表示での反射率をほとんど上げることなく、白表示での反射率のみを高くし、従来に比べてコントラスト比を高めることができるようにする。【解決手段】  背面側基板１０は、その屈折率が、液晶分子３３の屈折率ｎｏよりも低くなっている。一方、表示側基板２０は、その屈折率が、液晶分子３３の屈折率ｎｏと同じか、もしくは高くなっている。より望ましくは、表示側基板２０の屈折率が、散乱状態（白表示状態）における液晶層３０全体の平均的な屈折率ｎLCと同じか、もしくは高くなっていると良い。このように屈折率を最適化することで、黒表示での反射率をほとんど上げることなく、白表示での反射率のみを高くし、従来に比べてコントラスト比を高めることができる【選択図】      図１
2006163127.tif 000002
【特許請求の範囲】
【請求項１】
入射光を反射させて画像表示を行う光散乱型表示素子であって、
入射光に対する作用を散乱状態と透過状態とに切り替え可能な透過・散乱層と、
前記透過・散乱層を介して互いに対向配置されたそれぞれ透明な表示側基板および背面側基板と
を備え、
前記表示側基板の屈折率が、前記透過・散乱層の屈折率と同じか、もしくは高くなっている
ことを特徴とする光散乱型表示素子。
【請求項２】
前記透過・散乱層は複屈折性を有する液晶分子を含み、透過状態において垂直入射した光に対する前記液晶分子の屈折率がｎｏとなるように構成され、
前記表示側基板の屈折率が、前記液晶分子の屈折率ｎｏと同じか、もしくは高くなっている
ことを特徴とする請求項１に記載の光散乱型表示素子。
【請求項３】
前記透過・散乱層は複屈折性を有する液晶分子を含み、
前記表示側基板の屈折率が、散乱状態における前記透過・散乱層全体の平均的な屈折率ｎLCと同じか、もしくは高くなっている
ことを特徴とする請求項１に記載の光散乱型表示素子。
【請求項４】
前記表示側基板の屈折率が、散乱状態における前記透過・散乱層全体の平均的な屈折率ｎLCに対して、以下のΔｎsubの範囲内で高くなっている
０．０１≦Δｎsub≦０．０３
ことを特徴とする請求項３に記載の光散乱型表示素子。
【請求項５】
ＰＮＬＣＤ（Polymer Network Liquid Crystal Display）として利用されるものである
ことを特徴とする請求項１に記載の光散乱型表示素子。
【請求項６】
入射光を反射させて画像表示を行う光散乱型表示素子であって、
入射光に対する作用を散乱状態と透過状態とに切り替え可能な透過・散乱層と、
前記透過・散乱層を介して互いに対向配置されたそれぞれ透明な表示側基板および背面側基板と
を備え、
前記背面側基板の屈折率が、前記透過・散乱層の屈折率よりも低くなっている
ことを特徴とする光散乱型表示素子。
【請求項７】
前記透過・散乱層は複屈折性を有する液晶分子を含み、透過状態において垂直入射した光に対する前記液晶分子の屈折率がｎｏとなるように構成され、
前記背面側基板の屈折率が、前記液晶分子の屈折率ｎｏよりも低くなっている
ことを特徴とする請求項６に記載の光散乱型表示素子。
【請求項８】
ＰＮＬＣＤ（Polymer Network Liquid Crystal Display）として利用されるものである
ことを特徴とする請求項６に記載の光散乱型表示素子。
【請求項９】
入射光を反射させて画像表示を行う光散乱型表示素子であって、
入射光に対する作用を散乱状態と透過状態とに切り替え可能な透過・散乱層と、
前記透過・散乱層を介して互いに対向配置されたそれぞれ透明な表示側基板および背面側基板と、
前記透過・散乱層と前記表示側基板との間に配置された表示側透明電極層と、
前記透過・散乱層と前記背面側基板との間に配置された背面側透明電極層と、
前記背面側基板における前記透過・散乱層とは反対側の面に配置された光吸収層と、
前記背面側透明電極層と前記光吸収層との間に配置され、前記透過・散乱層の屈折率よりも低い屈折率を有する低屈折率層と
を備えたことを特徴とする光散乱型表示素子。
【請求項１０】
前記低屈折率層は、０．２５μｍ以上の厚みである
ことを特徴とする請求項９に記載の光散乱型表示素子。
【請求項１１】
前記低屈折率層は、０．５μｍ以上の厚みである
ことを特徴とする請求項９に記載の光散乱型表示素子。
【請求項１２】
前記透過・散乱層は複屈折性を有する液晶分子を含み、透過状態において垂直入射した光に対する前記液晶分子の屈折率がｎｏとなるように構成され、
前記低屈折率層の屈折率が、前記液晶分子の屈折率ｎｏよりも低くなっている
ことを特徴とする請求項９に記載の光散乱型表示素子。
【請求項１３】
ＰＮＬＣＤ（Polymer Network Liquid Crystal Display）として利用されるものである
ことを特徴とする請求項９に記載の光散乱型表示素子。
【請求項１４】
入射光を反射させて画像表示を行う光散乱型表示素子であって、
入射光に対する作用を散乱状態と透過状態とに切り替え可能な透過・散乱層と、
前記透過・散乱層を介して互いに対向配置されたそれぞれ透明な表示側基板および背面側基板と、
前記表示側基板における前記透過・散乱層とは反対側の最表面に積層され、前記表示側基板の屈折率よりも低い屈折率ｎARを有する低屈折率層と
を備え、
前記低屈折率層の厚みｄAR（ｎｍ）に関し、以下の条件式（１）を満足する
０．５×５４０／（４×ｎAR）≦ｄAR≦１．５×５４０／（４×ｎAR）  ……（１）
ことを特徴とする光散乱型表示素子。
【請求項１５】
前記低屈折率層の厚みｄAR（ｎｍ）に関し、さらに以下の条件式（２）を満足する
０．８×５４０／（４×ｎAR）≦ｄAR≦１．２×５４０／（４×ｎAR）  ……（２）
ことを特徴とする請求項１４に記載の光散乱型表示素子。
【請求項１６】
ＰＮＬＣＤ（Polymer Network Liquid Crystal Display）として利用されるものである
ことを特徴とする請求項１４に記載の光散乱型表示素子。
【発明の詳細な説明】
【技術分野】
【０００１】
本発明は、反射型のディスプレイに適用され、例えば電子ペーパー等に好適な光散乱型表示素子に関する。
【背景技術】
【０００２】
近年、携帯情報端末などのモバイル機器の発達に伴い、低消費電力かつ高品位画質の表示素子への需要が高まっている。その第一候補として、バックライトが不要で消費電力の小さい反射型液晶表示素子が挙げられる。しかしながら、現在一般的に用いられているツイストネマチック（ＴＮ；Twisted Nematic）モードあるいはスーパーツイストネマチック（ＳＴＮ；Super-Twisted Nematic）モードの液晶表示素子は、いずれも偏光板を用いなければならないので、光利用効率が低く、反射型のディスプレイとして用いる場合には非常に暗いという問題がある。
【０００３】
偏光板を用いない液晶表示方法として、電界により入射光に対する作用を散乱状態（明表示）と透過状態（暗表示）とに切り替え制御する光散乱型表示モードが挙げられる。図１９に、光散乱型表示モードによる液晶表示素子（以下、光散乱型液晶表示素子という。）の一般的な断面構造を示す。この光散乱型液晶表示素子は、例えば光散乱型表示モードの一つである高分子分散型液晶（ＰＤＬＣ；Polymer Dispersed Liquid Crystal）により構成された液晶層１３０を、例えばガラスよりなる背面側基板１１０と表示側基板１２０とを互いに対向配置して挟んだ構造となっている。背面側基板１１０の裏面側（液晶層１３０とは逆側）には全面にわたって光吸収層１４０が配置されている。背面側基板１１０と表示側基板１２０とにおける、それぞれの液晶層１３０に接する側には、例えばＩＴＯ（Indium Tin Oxide；酸化インジウムスズ）よりなる透明電極１１１，１２１が設けられ、画素単位で液晶層１３０に電界を印加することができるようになっている。
【０００４】
この光散乱型液晶表示素子では、透明電極１１１，１２１によって液晶層１３０に電界を印加した場合には、表示側基板１２０側から入射した光が、液晶層１３０において散乱されることなくそのまま透過し、さらに背面側基板１１０を透過して光吸収層１４０で吸収される。これにより、黒表示となる。一方、液晶層１３０に電界を印加しない場合には、入射した光が液晶層１３０において散乱され、表示側基板１２０側に反射されて白表示となる。このようにして、偏光板を用いずに表示を行うことができる。特許文献１〜５には、このような光散乱型液晶表示素子に関する技術が記載されている。
【特許文献１】特開平５−３１３１４０号公報
【特許文献２】特開平７−１３１３９号公報
【特許文献３】特開平１１−１７４４３６号公報
【特許文献４】特開平７−２５３５７０号公報
【特許文献５】特開平７−５６１５２号公報
【発明の開示】
【発明が解決しようとする課題】
【０００５】
しかしながら、光散乱型液晶表示素子においても、特に散乱状態における光強度（反射率）が十分得られないため、白表示での輝度がまだ十分ではなく、そのためコントラストも不十分となり、改善の余地がある。上記特許文献１〜５にも、反射率やコントラストの向上を図るための技術が開示されているが、さらに改善の余地がある。例えば特許文献５では、液晶層に接するように、液晶層と電極（酸化亜鉛層）との間に液晶層の屈折率よりも低い屈折率の層を挟むことで、上記問題の解決を図ろうとしている。しかしながらこの場合、液晶層に接しているので低屈折率層を厚くすることが事実上できないという問題がある。これは、低屈折率層を厚くすると、液晶層上下の電極間距離がその分長くなるので同じ電圧を印加しても電界が下がってしまい液晶の動作が不十分になってしまうからである。従って、特許文献５での低屈折率層を設けることによる反射率の増加は、屈折率の異なる誘電体が波長の１／４程度の厚みで多層に積層したことによる反射率上昇の効果である。しかしながらこの場合、基板面に対して垂直方向に入射した光に対しても同様に反射率が上昇してしまい、白表示での反射率が高くなる一方、同時に黒表示での反射率も上昇してしまい、結局コントラスト比は下がってしまう。この場合、コントラスト比を上げるためには、黒表示での反射率（黒表示での輝度に対応する。）を上げることなく、白表示での反射率（白表示での輝度に対応する。）のみを高くする必要がある。
【０００６】
本発明はかかる問題点に鑑みてなされたもので、その目的は、各層の屈折率もしくは厚みの最適化を図ることにより、黒表示での反射率をほとんど上げることなく、白表示での反射率のみを高くし、従来に比べてコントラスト比を高めることができるようにした光散乱型表示素子を提供することにある。
【課題を解決するための手段】
【０００７】
本発明の第１の観点に係る光散乱型表示素子は、入射光を反射させて画像表示を行う光散乱型表示素子であって、入射光に対する作用を散乱状態と透過状態とに切り替え可能な透過・散乱層と、透過・散乱層を介して互いに対向配置されたそれぞれ透明な表示側基板および背面側基板とを備え、表示側基板の屈折率が、透過・散乱層の屈折率と同じか、もしくは高くなっているものである。
【０００８】
本発明の第１の観点に係る光散乱型表示素子では、黒表示のときには、透過・散乱層が透過状態とされ、入射光が表示側基板および背面側基板を透過する。一方、白表示のときには、透過・散乱層が散乱状態とされ、入射光の多くが表示側基板側に反射され、表示側基板の外部に出射される。この白表示の場合において、透過・散乱層で反射された光が、その基板面に対し斜めから表示側基板の透過・散乱層側の面に入射すると、基板面の法線に対する入射角度が大きくなるにつれて表示側基板で内部反射を起こしてしまい、外部に出射されずに透過・散乱層側に戻ってしまい、白表示での反射率が低下するおそれがある。
この第１の観点に係る光散乱型表示素子では、表示側基板の屈折率が、透過・散乱層の屈折率と同じかもしくは高くなっていることにより、白表示状態における透過・散乱層側への戻り光の割合が少なくなり、結果的に、外部に出射される光の割合が増え、白表示状態における素子全体の反射率が上がり、白輝度が増大する。これにより、黒表示での反射率を上げることなく白表示での反射率のみを高くして、コントラスト比が高められる。
【０００９】
本発明の第２の観点に係る光散乱型表示素子は、入射光を反射させて画像表示を行う光散乱型表示素子であって、入射光に対する作用を散乱状態と透過状態とに切り替え可能な透過・散乱層と、透過・散乱層を介して互いに対向配置されたそれぞれ透明な表示側基板および背面側基板とを備え、背面側基板の屈折率が、透過・散乱層の屈折率よりも低くなっているものである。
【００１０】
本発明の第２の観点に係る光散乱型表示素子では、黒表示のときには、透過・散乱層が透過状態とされ、入射光が表示側基板および背面側基板を透過する。一方、白表示のときには、透過・散乱層が散乱状態とされ、入射光の多くが表示側基板側に反射され、表示側基板の外部に出射される。この白表示の場合において、一部の光が透過・散乱層を透過し、背面側基板側に入射して白表示での反射率が低下するおそれがある。
この第２の観点に係る光散乱型表示素子では、背面側基板の屈折率が、透過・散乱層の屈折率よりも低くなっていることで、白表示状態において透過・散乱層を透過した一部の光が、その基板面に対し斜めから背面側基板に入射すると、その基板面の法線に対する入射角度が大きくなるにつれて背面側基板で内部反射を起こしやすくなり、再び透過・散乱層へと戻り、表示側基板側へと反射しやすくなる。すなわち、白表示状態における背面側基板への入射光の割合が少なくなり、結果的に、表示側基板側から外部に出射される光の割合が増え、白表示状態における素子全体の反射率が上がり、白輝度が増大する。これにより、黒表示での反射率を上げることなく白表示での反射率のみを高くして、コントラスト比が高められる。
【００１１】
本発明の第３の観点に係る光散乱型表示素子は、入射光を反射させて画像表示を行う光散乱型表示素子であって、入射光に対する作用を散乱状態と透過状態とに切り替え可能な透過・散乱層と、透過・散乱層を介して互いに対向配置されたそれぞれ透明な表示側基板および背面側基板と、透過・散乱層と表示側基板との間に配置された表示側透明電極層と、透過・散乱層と背面側基板との間に配置された背面側透明電極層と、背面側基板における透過・散乱層とは反対側の面に配置された光吸収層と、背面側透明電極層と光吸収層との間に配置され、透過・散乱層の屈折率よりも低い屈折率を有する低屈折率層とを備えたものである。
【００１２】
本発明の第３の観点に係る光散乱型表示素子では、黒表示のときには、透過・散乱層が透過状態とされ、入射光が表示側基板および背面側基板を透過する。一方、白表示のときには、透過・散乱層が散乱状態とされ、入射光の多くが表示側基板側に反射され、表示側基板の外部に出射される。この白表示の場合において、一部の光が透過・散乱層を透過し、背面側基板側に入射し光吸収層で吸収されて白表示での反射率が低下するおそれがある。
この第３の観点に係る光散乱型表示素子では、背面側透明電極層と光吸収層との間に低屈折率層が配置されていることで、白表示状態において透過・散乱層を透過した一部の光が、その積層面に対し斜めから低屈折率層に入射すると、その積層面の法線に対する入射角度が大きくなるにつれて低屈折率層で内部反射を起こしやすくなり、再び透過・散乱層へと戻り、表示側基板側へと反射しやすくなる。すなわち、白表示状態において背面側基板に入射し光吸収層で吸収される光の割合が少なくなり、結果的に、表示側基板側から外部に出射される光の割合が増え、白表示状態における素子全体の反射率が上がり、白輝度が増大する。これにより、黒表示での反射率を上げることなく白表示での反射率のみを高くして、コントラスト比が高められる。
【００１３】
本発明の第４の観点に係る光散乱型表示素子は、入射光を反射させて画像表示を行う光散乱型表示素子であって、入射光に対する作用を散乱状態と透過状態とに切り替え可能な透過・散乱層と、透過・散乱層を介して互いに対向配置されたそれぞれ透明な表示側基板および背面側基板と、表示側基板における透過・散乱層とは反対側の最表面に積層され、表示側基板の屈折率よりも低い屈折率ｎARを有する低屈折率層とを備え、低屈折率層の厚みｄAR（ｎｍ）に関し、以下の条件式（１）を満足するようにしたものである。
０．５×５４０／（４×ｎAR）≦ｄAR≦１．５×５４０／（４×ｎAR）  ……（１）
【００１４】
本発明の第４の観点に係る光散乱型表示素子では、黒表示のときには、透過・散乱層が透過状態とされ、入射光が表示側基板および背面側基板を透過する。一方、白表示のときには、透過・散乱層が散乱状態とされ、入射光の多くが表示側基板側に反射され、表示側基板の外部に出射される。この白表示の場合において、透過・散乱層で反射された光が、その基板面に対し斜めから表示側基板の最表面に入射すると、基板面の法線に対する入射角度が大きくなるにつれて表示側基板の最表面で内部反射を起こしてしまい、外部に出射されずに透過・散乱層側に戻ってしまい、白表示での反射率が低下するおそれがある。また、表示側基板の最表面において外部反射を起こすと、素子自体に入射する光が減り、適切な表示の妨げになるおそれがある。
この第４の観点に係る光散乱型表示素子では、表示側基板の最表面に低屈折率層が積層され、またその厚みｄARが適切な値に設定されていることにより、低屈折率層が反射防止膜として機能し、表示側基板の最表面での内部反射が減り、白表示状態における透過・散乱層側への戻り光の割合が少なくなり、結果的に、外部に出射される光の割合が増え、白表示状態における素子全体の反射率が上がり、白輝度が増大する。また、表示側基板の最表面での外部反射の割合が少なくなるので、素子自体に入射する光が増え、結果的に、白輝度が増大する。これにより、黒表示での反射率を上げることなく白表示での反射率のみを高くして、コントラスト比が高められる。
【発明の効果】
【００１５】
本発明の第１の観点に係る光散乱型表示素子によれば、表示側基板の屈折率を、透過・散乱層の屈折率と同じかもしくは高くするようにしたので、白表示の場合において透過・散乱層で反射された光が、その基板面に対し斜めから表示側基板の透過・散乱層側の面に入射したとしても、表示側基板での内部反射を起こす割合が減り、白表示状態における透過・散乱層側への戻り光の割合を少なくできる。結果的に、外部に出射される光の割合が増え、白表示状態における素子全体の反射率が上がり、白輝度を増大させることができる。これにより、黒表示での反射率を上げることなく白表示での反射率のみを高くして、コントラスト比を高めることができる。
【００１６】
本発明の第２の観点に係る光散乱型表示素子によれば、背面側基板の屈折率を、透過・散乱層の屈折率よりも低くするようにしたので、白表示状態において透過・散乱層を透過した一部の光が、その基板面に対し斜めから背面側基板に入射すると、その基板面の法線に対する入射角度が大きくなるにつれて背面側基板で内部反射を起こしやすくなり、再び透過・散乱層へと戻り、表示側基板側へと反射しやすくなる。すなわち、白表示状態における背面側基板への入射光の割合を少なくできる。結果的に、表示側基板側から外部に出射される光の割合が増え、白表示状態における素子全体の反射率が上がり、白輝度を増大させることができる。これにより、黒表示での反射率を上げることなく白表示での反射率のみを高くして、コントラスト比を高めることができる。
【００１７】
本発明の第３の観点に係る光散乱型表示素子によれば、背面側透明電極層と光吸収層との間に低屈折率層を配置するようにしたので、白表示状態において透過・散乱層を透過した一部の光が、その積層面に対し斜めから低屈折率層に入射すると、その積層面の法線に対する入射角度が大きくなるにつれて低屈折率層で内部反射を起こしやすくなり、再び透過・散乱層へと戻り、表示側基板側へと反射しやすくなる。すなわち、白表示状態において背面側基板に入射し光吸収層で吸収される光の割合を少なくできる。結果的に、表示側基板側から外部に出射される光の割合が増え、白表示状態における素子全体の反射率が上がり、白輝度を増大させることができる。これにより、黒表示での反射率を上げることなく白表示での反射率のみを高くして、コントラスト比を高めることができる。
【００１８】
本発明の第４の観点に係る光散乱型表示素子によれば、表示側基板の最表面に低屈折率層を積層し、またその厚みｄARを適切な値に設定するようにしたので、低屈折率層が反射防止膜として機能し、表示側基板の最表面での内部反射が減り、白表示状態における透過・散乱層側への戻り光の割合を少なくできる。結果的に、外部に出射される光の割合が増え、白表示状態における素子全体の反射率が上がり、白輝度を増大させることができる。また、表示側基板の最表面での外部反射の割合が少なくなるので、素子自体に入射する光が増え、結果的に、白輝度を増大させることができる。これにより、黒表示での反射率を上げることなく白表示での反射率のみを高くして、コントラスト比を高めることができる。
【発明を実施するための最良の形態】
【００１９】
以下、本発明の実施の形態について図面を参照して詳細に説明する。
【００２０】
［第１の実施の形態］
図１，図２は、本発明の第１の実施の形態に係る光散乱型表示素子の一構成例を示している。図１，図２では、本実施の形態に係る光散乱型表示素子をＰＮＬＣＤ（Polymer Network Liquid Crystal Display）に適用した構成例を示している。また図１には電界Ｅを印加していない状態（白表示）での入射光の状態についても示し、図２には電界Ｅを印加した状態（黒表示）での入射光の状態についても示す。
【００２１】
この光散乱型表示素子１は、液晶層３０と、この液晶層３０を介して互いに対向配置された例えばガラスよりなるそれぞれ透明な背面側基板１０および表示側基板２０とを備えている。この光散乱型表示素子１はまた、液晶層３０と背面側基板１０との間に配置された背面側透明電極層１１、および液晶層３０と表示側基板２０との間に配置された表示側透明電極層２１を備えている。この光散乱型表示素子１はさらに、背面側基板１０の裏面（液晶層３０とは反対側の面）側に全面にわたって形成された光吸収層１２を備えている。
【００２２】
各透明電極層１１，２１は、液晶層３０に画素単位で電界Ｅを印加するためのものである。表示側透明電極層２１は、例えばＩＴＯ膜よりなり、表示側基板２０の液晶層３０に接する側において全面に形成されいる。一方、図１，図２では図示していないが、背面側透明電極層１１には、ＩＴＯからなる複数の透明な画素電極と、各画素電極に接続され、各画素電極に与える電圧を制御するＴＦＴ（Thin Film Transistor）と、ＴＦＴに制御用の信号を印加する縦配線および横配線とが形成されている。
【００２３】
光吸収層１２は、黒表示状態において、液晶層３０および背面側基板１０を透過した入射光４０を吸収するために設けられたものであり、例えばカーボンを含む材料で構成されている。
【００２４】
液晶層３０は、電界Ｅの印加に応じて、入射光４０に対する作用を散乱状態と透過状態とに切り替え可能なものであり、ポリマーネットワーク型の液晶により構成されている。液晶層３０は、回転楕円体形状の液晶分子３３を、ポリマー３２の中に球状の液晶ドロプレット３１としてランダムに分散させたもので構成されている。図３に、液晶分子３３の構造を示す。この液晶分子３３は複屈折性を有し、その長手方向（ｚ方向）の屈折率ｎｅは、それと垂直方向（ｘ，ｙ方向）の屈折率ｎｏに対してｎｅ＞ｎｏの関係が成り立つ。この液晶分子３３では、ｚ方向から入射した光に対しては、その光の振動方向がｚ方向に垂直なｘｙ方向にあるので、その屈折率はｎｏとなる。逆に、ｘｙ方向から入射した光に対しては、その光の振動方向がｘｙ方向に垂直なｚ方向にあるので、その屈折率はｎｅとなる。ポリマー３２の屈折率は、液晶分子３３の低屈折率側の屈折率ｎｏと同じ値に設定されている。
【００２５】
背面側基板１０は、その屈折率ｎsub１が液晶層３０の屈折率よりも低くなっている。望ましくは、その屈折率ｎsub１が、液晶分子３３の屈折率ｎｏよりも低くなっていると良い。一方、表示側基板２０は、その屈折率ｎsub２が、が液晶層３０の屈折率と同じか、もしくは高くなっている。望ましくは、その屈折率ｎsub２が、液晶分子３３の屈折率ｎｏと同じか、もしくは高くなっていると良い。より望ましくは、その屈折率ｎsub２が、散乱状態（白表示状態）における液晶層３０全体の平均的な屈折率ｎLCと同じか、もしくは高くなっていると良い。より具体的には、その屈折率ｎsub２が、液晶層３０全体の平均的な屈折率ｎLCに対して、以下のΔｎsubの範囲内で高くなっていると良い。このような屈折率に設定することの根拠については、後述する。
０．０１≦Δｎsub≦０．０３
【００２６】
このように背面側基板１０および表示側基板２０の屈折率ｎsub１，ｎsub２の最適化が図られている点が従来のＰＮＬＣＤとは大きく異なる。また本実施の形態において、液晶層３０が、本発明における「透過・散乱層」の一具体例に対応する。
【００２７】
次に、この光散乱型表示素子１の作用、および効果を説明する。
【００２８】
この光散乱型表示素子１では、図２のように液晶層３０に電界Ｅを印加することで、液晶分子３３が上下の一方向に配向する。この場合、上側から入射する光４０に対して液晶ドロプレット３１の屈折率がｎｏとなり、液晶ドロプレット３１の周囲にあるポリマー３２の屈折率と等しくなる（液晶ドロプレット３１とポリマー３２との屈折率差Δｎが０となる）。従って液晶層３０は透過状態となり、入射光４０は液晶層３０において散乱されることなくそのまま透過し、さらに背面側基板１０を透過して光吸収層１２で吸収される。これにより、黒表示となる。
【００２９】
一方、電界Ｅを印加していないときには、図１のように液晶分子３３がランダムに配向しているために液晶ドロプレット３１の屈折率がポリマー３２の屈折率より高くなる。通常、このときの液晶ドロプレット３１の平均的な屈折率はｘ，ｙ，ｚ方向の三軸方向の成分を考えて
（ｎｅ＋２×ｎｏ）／３になる。
従って、上側から入射した光４０に対してポリマー３２と液晶ドロプレット３１との間の屈折率差Δｎが生じることで、液晶ドロプレット３１において光が散乱される散乱状態となり、表示側基板２０側に反射されて白表示となる。
【００３０】
ここで、白表示状態（散乱状態）のときに液晶層３０で反射された光が、図４に示したように、表示側基板２０の液晶層３０側の面に斜め入射した場合に生ずる内部反射について考察する。まず、液晶層３０、表示側透明電極層２１および表示側基板２０からなる多層膜を考え、白表示のときに液晶層３０側から表示側基板２０側に光が入射する場合の反射率Ｒの入射角度依存性を、有効フレネル係数法により計算してみる。
【００３１】
ここで計算条件は以下のとおりである。まず、液晶分子３３の屈折率はｎｏ＝１．５２，ｎｅ＝１．８０とし、またポリマー３２の屈折率はｎpoly＝１．５２とした。そして、液晶ドロプレット３１とポリマー３２の体積比を８：２として、以下のように全体の平均的な屈折率を求めた。それによって得られた値＝１．５９を、白表示状態での液晶層３０の全体の屈折率ｎLCとした。
（（ｎｅ＋２×ｎｏ）／３）×０．８＋ｎpoly×０．２
さらに図４に記したように、表示側透明電極層２１の厚みｄITOと屈折率ｎITOをそれぞれｄITO＝０．０３μｍ（３０ｎｍ），ｎITO＝１．７８とし、表示側基板２０の屈折率をｎsub２＝１．３２，１．５２，１．５９，１．６５に変えて計算した。また、Ｓ波とＰ波のそれぞれについて反射率Ｒを計算した。なお、Ｓ波とは、図４の紙面に対して垂直な方向に偏光している光で、Ｐ波とは、図４の紙面に対して平行な方向に偏光している光のことである。
【００３２】
図５にその計算結果を示す。縦軸は反射率Ｒ、横軸は角度θ（ｄｅｇ）を示す。角度θは、図４に示したように入射面の法線に対する入射角度である。なお、光の波長はλ＝５４０ｎｍとした。λ＝５４０ｎｍとしたのは、最も視感度の高い波長だからであり、赤色光や青色光の場合も図５の計算結果とほとんど同じ結果になる。
【００３３】
図５の結果から、表示側基板２０の屈折率ｎsub２を液晶層３０の屈折率ｎLC（＝１．５９）と同じかまたは高くすることで反射が抑えられ、逆に液晶層３０の屈折率ｎLCより低くすることで反射率が高角度側で大きくなることが分かる。特に入射角度θが臨界角θｒを超えると全反射条件を満たして反射率が１になる。ところで、液晶層３０中で散乱を繰り返すことで光が等方的に拡散される場合を考えると、その光の角度成分が０°〜９０°までにおいて、同じ光強度になると考えられる。この場合、光のトータルな反射率Ｒtotalは、０°〜９０°までの各入射角度での反射率Ｒを積算した値を、０°〜９０°までの反射率をすべて１にして積算した値で割り算をすることで得られる。
【００３４】
このようにして見積もられるトータルな反射率Ｒtotalの値の結果を図６に示す。さらに表示側基板２０の屈折率ｎsub２を１．３０〜１．８０まで変化させてこのトータルな反射率Ｒtotalを計算した結果を図７に示す。この結果から、表示側基板２０の屈折率ｎsub２が、液晶層３０の屈折率ｎLCと等しいところから０．０１≦Δｎsub≦０．０３の範囲のΔｎsubほどプラス側にずれた付近（屈折率１．６１付近）で、トータルな反射率Ｒtotalが最も抑えられて最小値になることが分かる。
【００３５】
以上のことを鑑みて、次のような構造を採用することで白表示での素子全体の反射率を高めることが可能である。まず光の取り出し側の表示側基板２０であるが、図４に示した光の入射状態において、液晶層３０側から表示側基板２０側により多くの光が透過することが望ましい。光が透過しないと、表示側基板２０側で内部反射を起こし、外部に出射されずに液晶層３０側に戻ってしまう。これでは結果的に素子全体として、白表示での反射率が低下する。従って表示側基板２０の屈折率ｎsub２を、液晶分子３３の屈折率ｎｏと同じかより高くすれば、液晶層３０側から表示側基板２０側への光の反射率Ｒが低く抑えられて液晶層３０側への戻り光の割合が少なくなり、結果的に、表示側基板２０を透過して外部に出射される光の割合が増えて良いことになる。これにより、白表示状態における素子全体の反射率が上がり、白輝度が増大する。さらに望ましくは、表示側基板２０の屈折率ｎsub２を液晶層３０の屈折率ｎLCと同じかより高くすれば良い。より具体的には、表示側基板２０の屈折率ｎsub２を、液晶層３０の屈折率ｎLCよりΔｎsub＝０．０２±０．０１ほど高い屈折率にすればなお良いことになる。
すなわち、屈折率ｎsub２が屈折率ｎLCに対し、
０．０１≦Δｎsub≦０．０３
ほど高い屈折率になっていることが好ましい。
【００３６】
一方、背面側基板１０の屈折率ｎsub１は、白表示の場合において背面側基板１０側に光が入射、透過しないように、表示側基板２０とは逆に、液晶分子３３の屈折率ｎｏよりも低くなっていると良い。このようにすることで、白表示状態において液晶層３０を透過した一部の光が、その基板面に対し斜めから背面側基板１０に入射すると、その基板面の法線に対する入射角度θが大きくなるにつれて背面側基板１０で内部反射を起こしやすくなり、再び液晶層３０へと戻り、表示側基板２０へと反射しやすくなる。すなわち、白表示状態における背面側基板１０への入射、透過光の割合が少なくなり、結果的に、表示側基板２０を透過して外部に出射される光の割合が増えて良いことになる。これにより、白表示状態における素子全体の反射率が上がり、白輝度が増大する。
【００３７】
しかしながら、背面側基板１０において白表示のときの反射率Ｒが上述のように上昇しても、黒表示のときの反射が同様に（＋α分）上昇すれば、コントラスト（＝白輝度／黒輝度）が低下して画質の劣化を招いてしまう。そこで黒表示のときの反射率について考察する。
【００３８】
黒表示の場合、液晶層３０の液晶ドロプレット３１とポリマー３２の屈折率が液晶分子３３の屈折率ｎｏと同じになるので表面から入射した光が液晶層３０で散乱されることなく透過し、下側の背面側基板１０に到達する。このときの各層における光の入射角度θに対する透過光の分布は、スネルの法則を満たすためにある角度以上は存在しないことになる（ただしすべての界面や表面が平らの場合）。つまり屈折率ｎ＝１．０の空気側からあらゆる角度で入射しても空気よりも屈折率の高いデバイス側に入射するとその層での臨界角θｒ＝arcsin（１／ｎD）より小さい角度に分布することになる。ただしここでデバイスの各層の屈折率を代表してｎDとする。液晶層３０の場合はｎD＝ｎLCである。今、液晶層３０の屈折率を１．５２とすると、この臨界角はθｒ＝４１．１°となる。この場合、図５に示した反射率Ｒの角度依存性から、たとえ屈折率が１．３２の層が液晶層３０の下側に存在したとしてもθ＝４１．１°までの角度成分であれば、光をほとんど反射しないことになる。従って、黒表示の場合において光の反射が高くならないので輝度の増加が見られない。一方白表示の場合、液晶層３０での光散乱によりすべての角度において光が存在するので結果として光の反射が高くなり、輝度が増すこととなる。従ってコントラストは上昇することになる。
【００３９】
以上説明したように、本実施の形態によれば、表示側基板２０の液晶層３０側の面での内部反射が抑えられるようにその屈折率ｎsub２の最適化を図るようにしたので、白表示状態における液晶層３０側への戻り光の割合を少なくできる。また、背面側基板１０の液晶層３０側の面で斜め入射した場合に内部反射が起きやすくなるように、その屈折率ｎsub１の最適化を図るようにしたので、白表示状態における背面側基板１０への入射、透過光の割合を少なくできる。これらにより結果的に、素子全体としてみたときに、黒表示での反射率を上げることなく白表示での反射率のみを高くして、コントラスト比を高めることができる。
【００４０】
これによって、例えば電子ペーパーに適用した場合には、よりペーパーライクな白表示が可能となる。また、黒表示での光の反射率を上げずに高コントラストを達成することができるので、より見やすいディスプレイを実現できる。さらに、ＰＮＬＣＤに適用することで、他の光散乱型ディプレイに比べて応答速度が速く、高品位な動画表示が可能となる。
［第２の実施の形態］
【００４１】
次に、本発明の第２の実施の形態を説明する。なお、上記第１の実施の形態に係る光散乱型表示素子１（図１，図２）と実質的に同一の部分には同一の符号を付し、適宜説明を省略する。図８は、本実施の形態に係る光散乱型表示素子の一構成例を示している。上記第１の実施の形態では、背面側基板１０の屈折率ｎsub１を液晶分子３３の屈折率ｎｏよりも低くすることの利点について述べたが、現状、屈折率の低い基板を使用するにはその基板が高価である場合が多く、また汎用性も乏しい。そこで、本実施の形態では、背面側基板１０自体の屈折率ｎsub１を低くしなくとも、背面側透明電極層１１と光吸収層１２との間に別途、低屈折率層を設けることで、上記第１の実施の形態と同様の効果を得ようとするものである。図８に示した光散乱型表示素子２では、背面側基板１０と背面側透明電極層１１との間に透明な低屈折率層１３を設けている。
【００４２】
以下、低屈折率層１３を設けることにより、背面側基板１０の屈折率ｎsub１を低くした場合と同様な効果が得られるための条件を述べる。ここでは図９に示したように、液晶層３０、背面側透明電極層１１、低屈折率層１３および背面側基板１０からなる多層膜を考え、白表示のときに液晶層３０側から低屈折率層１３側に光が入射する場合の反射率Ｒの入射角度依存性を、有効フレネル係数法により計算してみる。
【００４３】
ここで計算条件は以下のとおりである。図９に示したように、背面側基板１０として屈折率ｎsub１＝１．５２の基板の上に、低屈折率層１３として屈折率ｎ３＝１．４０の膜を入れた構造において、その層の厚みｄ３を変えて反射率Ｒを計算した。液晶層３０の屈折率は、図５の計算を行った場合と同様に、白表示状態での全体の屈折率ｎLC＝１．５９とした。また、背面側透明電極層１１についても図５の計算を行った場合と同様に、その厚みｄITOと屈折率ｎITOをそれぞれｄITO＝０．０３μｍ（３０ｎｍ），ｎITO＝１．７８とした。また、Ｓ波とＰ波のそれぞれについて反射率Ｒを計算した。なお、Ｓ波とは、図９の紙面に対して垂直な方向に偏光している光で、Ｐ波とは、図９の紙面に対して平行な方向に偏光している光のことである。
【００４４】
その結果を、Ｓ波については図１０、Ｐ波については図１１に示す。縦軸は反射率Ｒ、横軸は角度θ（ｄｅｇ）を示す。角度θは、図９に示したように入射面の法線に対する入射角度である。なお、図５の計算を行った場合と同様の理由で、光の波長は最も視感度の高いλ＝５４０ｎｍとした。
【００４５】
これらの結果からＳ波、Ｐ波ともに、厚みｄとして低屈折率層１３の厚みｄ３が０．２５μｍ以上あれば反射が上昇する効果があり、さらに望ましくは０．５μｍ以上であれば十分な反射の効果が得られていることが分かる。このような反射の効果が期待できるのは、低屈折率層１３の厚みｄ３が、光の染み出し距離（エバネッセントフィールド）と同等か、あるいはそれより厚いことが必要である。というのは、ここではほぼ全反射条件を満たすことで光が反射される機構を用いているからである。従って、このような低屈折率層１３は必ずしもＩＴＯなどの背面側透明電極層１１の直下にある必要はなく、液晶層３０および背面側透明電極層１１より下側で、光吸収層１２より上側であれば同様な効果が期待できる。
【００４６】
このような低屈折率層１３が設けられていることにより、白表示状態において液晶層３０を透過した一部の光が、その積層面に対し斜めから低屈折率層１３に入射すると、その積層面の法線に対する入射角度θが大きくなるにつれて低屈折率層１３で内部反射を起こしやすくなり、再び液晶層３０側へと戻り、表示側基板２０へと反射しやすくなる。すなわち、白表示状態において背面側基板１０に入射し光吸収層１２で吸収される光の割合が少なくなり、結果的に、表示側基板２０を透過して外部に出射される光の割合が増えて良いことになる。これにより、白表示状態における素子全体の反射率が上がり、白輝度が増大する。
【００４７】
なお、液晶層３０の下側に低い屈折率の層があったとしても黒表示での輝度が上がる結果にはならず、白表示での輝度のみが増し、コントラストが上昇する結果となるのは、上記第１の実施の形態と同様である。
【００４８】
以上説明したように、この第２の実施の形態によれば、液晶層３０の下側、背面側透明電極層１１と光吸収層１２との間の任意の位置に低屈折率層１３を積層し、その液晶層３０側の積層面に斜め入射した場合に内部反射が起きやすくなるようにしたので、白表示状態において背面側基板１０に入射し光吸収層１２で吸収される光の割合を少なくできる。これにより結果的に、素子全体としてみたときに、黒表示での反射率を上げることなく白表示での反射率のみを高くして、コントラスト比を高めることができる。
［第３の実施の形態］
【００４９】
次に、本発明の第３の実施の形態を説明する。なお、上記第１の実施の形態に係る光散乱型表示素子１（図１，図２）と実質的に同一の部分には同一の符号を付し、適宜説明を省略する。図１２は、本実施の形態に係る光散乱型表示素子の一構成例を示している。この光散乱型表示素子３は、図１，図２に示した光散乱型表示素子１に対して、表示側基板２０における液晶層３０とは反対側の最表面に、反射防止膜２２を積層したものである。反射防止膜２２は、表示側基板２０の屈折率sub２よりも低い屈折率ｎARとなっている。
【００５０】
ここで、図１３（Ａ），（Ｂ）に示したように、素子の最表面と空気との界面での反射を考える。白表示の場合において、図１３（Ａ）に示したように液晶層３０で反射された光が、その基板面に対し斜めから表示側基板２０の最表面に入射すると、基板面の法線に対する入射角度θが大きくなるにつれて表示側基板２０の最表面で内部反射を起こしてしまい、外部に出射されずに液晶層３０側に戻ってしまい、白表示での反射率が低下するおそれがある。また、図１３（Ｂ）に示したように表示側基板２０の最表面において外部反射を起こすと、素子自体に入射する光が減り、適切な表示の妨げになるおそれがある。そこで反射防止膜２２を設けることで、表示側基板２０の最表面と空気との界面での内部反射を減らすことができ、空気側へ出射光量が増えて白輝度が高くなるし、また逆に空気側から表示側基板２０への入射光の光量も多くなるので結果として白輝度が高くなる。
【００５１】
図１４に、表示側基板２０の内部から外部へと出射する光の反射率Ｒの入射角度依存性を計算した結果を示す。また逆に、表示側基板２０の外部から内部へと入射する光の反射率Ｒの入射角度依存性を計算した結果を、図１５に示す。表示側基板２０の屈折率はｎsub２＝１．６５とし、反射防止膜２２は屈折率ｎAR＝１．３２で厚みｄAR＝１００ｎｍとした。空気（基板外部）の屈折率ｎairは、１．０とした。比較例として、反射防止膜２２なし（表示側基板２０だけ）の場合も計算して示す。また、また、Ｓ波とＰ波のそれぞれについて反射率Ｒを計算した。なお、Ｓ波とは、図１３（Ａ），（Ｂ）の紙面に対して垂直な方向に偏光している光で、Ｐ波とは、図１３（Ａ），（Ｂ）の紙面に対して平行な方向に偏光している光のことである。
【００５２】
図１４の結果から、反射防止膜２２を施すことで臨界角θｒ＝３７．３°までの角度において内部反射が抑えられているのが分かる。また図１５から、ほぼ全角度にわたって外部反射が抑えられていることが分かる。このような反射抑制効果を得るためには、反射防止膜２２の屈折率ｎARが、表示側基板２０の屈折率ｎsub２より低く（ｎAR＜ｎsub２）、さらにその厚みｄAR（ｎｍ）がλ／４ｎARであれば理想的な反射条件が得られる。λは光の波長であり、例えば最も視感度の高い波長５４０ｎｍに合わせると良い。実用的には誤差があることや、使用波長域が赤色光から青色光まで幅があることを考慮すると、
０．５×５４０／（４×ｎAR）≦ｄAR≦１．５×５４０／（４×ｎAR）  ……（１）
を満たせば効果がある。望ましくは、
０．８×５４０／（４×ｎAR）≦ｄAR≦１．２×５４０／（４×ｎAR）  ……（２）
を満たせば、理想条件に近づくのでより効果がある。
【００５３】
以上説明したように、この第３の実施の形態によれば、表示側基板２０の最表面に低屈折率の反射防止膜２２を積層し、またその厚みｄARを適切な値に設定することにより、表示側基板２０の最表面での内部反射が減り、白表示状態における液晶層３０側への戻り光の割合が少なくなり、結果的に、外部に出射される光の割合が増え、白表示状態における素子全体の反射率が上がり、白輝度が増大する。また、表示側基板２０の最表面での外部反射の割合が少なくなるので、素子自体に入射する光が増え、結果的に、白輝度を増大させることができる。これにより、黒表示での反射率を上げることなく白表示での反射率のみを高くして、コントラスト比を高めることができる。
【００５４】
なお、上記第２および第３の実施の形態を組み合わせた構成ももちろん可能である。
【実施例】
【００５５】
次に、光散乱型表示素子の具体的な構成例を実施例として示す。ここでは一例として、上記第２および第３の実施の形態の構成を組み合わせた構成に対応する実施例を示す。
【００５６】
図１６に、本実施例に係る光散乱型表示素子の要部構造を示す。背面側基板１０としては、屈折率ｎsub1＝１．５２で０．７ｍｍの厚みのシリカ系ガラス基板を用いた。この背面側基板１０の片面上に、低屈折率層１３として、屈折率ｎ３＝１．３２で５００ｎｍの厚みのＭｇＦ2の膜を真空加熱法で蒸着した。そらにその低屈折率層１３の上に背面側透明電極層１１として、２０ｎｍの厚みのＩＴＯからなる透明電極膜をスパッタ法で蒸着した。図１７は、背面側透明電極層１１のより具体的な構造を示している。背面側透明電極層１１として、より具体的には、ＩＴＯの透明電極膜からなる複数の透明な画素電極６１と、各画素電極６１に接続され、各画素電極６２に与える電圧を制御するＴＦＴ６２と、ＴＦＴ６２のゲート電極に制御用の信号を印加するゲート線６３と、ＴＦＴ６２のソース電極に制御用の信号を印加するソース線６４とを形成した。ＩＴＯの画素電極６１は、メタルマスクを用いてフォトリソグラフィー法により幅９０μｍで図に示したようにほぼ正方形状にパターニングした。ＴＦＴ６２は、ＩＴＯ膜の蒸着をする前に背面側基板１０に元々縦方向および横方向に１００μｍの画素ピッチで形成されている。これに対応して、横方向に延在する複数のゲート線６３が存在し、縦方向に延在する複数のソース線６４が存在する。ゲート線６３およびソース線６４は、メタル配線（Ａｌ）により形成した。
【００５７】
また、表示側基板２０としては、屈折率ｎsub2＝１．６５で０．７ｍｍの厚みのシリカ系ガラス基板を用いた。この表示側基板２０の片面上に、反射防止膜２２として、屈折率ｎAR＝１．３２で１００ｎｍの厚みのＭｇＦ2の膜を真空加熱法で蒸着した。さらに表示側透明電極層２１として、背面側透明電極層１１の場合と同様に２０ｎｍの厚みのＩＴＯ膜をＭｇＦ2の膜が蒸着されていない側にスパッタ法で蒸着した。ここで、表示側透明電極層２１となるＩＴＯ膜は表示側基板２０の一面、全面にわたって蒸着されている。
【００５８】
これらＩＴＯ膜等を積層した背面側基板１０および表示側基板２０のうち一方の基板表面上（ＩＴＯ側）に、スペーサとして５０μｍ径のプラスチックボールを均等に分散させた。さらに二つの基板１０，２０をＩＴＯ膜同士が向き合うようにしてスペーサを挟んだ状態で密着させて固定した。この状態で基板間の隙間は５０μｍとなる。次に、モノマー入りのＰＮ液晶を熱融解させ、毛細管現象を用いて基板間の隙間に入れた後、紫外線を照射することにより、モノマーを硬化、ネットワーク化し、光散乱状態を得て、これを液晶層３０とした。次に、室温まで戻した後、光吸収層１２を背面側基板１０の裏面側に貼り付けた。光吸収層１２としては、カーボンを樹脂で固めたものを用いた。
【００５９】
この光散乱型表示素子では、ソース線６３とゲート線６４（図１７）の両方に電圧が印加された所に対応する画素が黒表示となる。この光散乱型表示素子を用いて電圧を印加したときの素子全体としての光の反射率の変化を測定した。結果を図１８に示す。この結果から、電圧を印加していないとき（白表示）の反射率は４５％あるのに対し、電圧を２０Ｖ印加したとき（黒表示）の反射率はわずか４％しかないことが分かる。これよりコントラスト比は１１になる。比較のために、本実施例の構造を用いなかった場合の素子（基板の屈折率を最適化せず、かつ低屈折率層１３と反射防止膜２２も設けない構造）について同じ測定をした結果では、白表示での反射率は３８％でコントラスト比は１０であった。このことから、本実施例では白表示が高い反射率にもかかわらず黒表示の反射率がほとんど上昇していないことになる。
【００６０】
なお、本発明は、以上で説明した各実施の形態、ならびに実施例に限定されず、さらに種々の変形実施が可能である。例えば、以上で述べたすべての効果は必ずしもＰＮＬＣＤだけに限らず、ＰＤＬＣＤ等の一般的な光散乱型の反射型液晶ディスプレイにおいても効果がある。また必ずしも液晶ディスプレイに限らず電子ペーパー全般などの光散乱型ディスプレイにおいて同様な効果がある。
【図面の簡単な説明】
【００６１】
【図１】本発明の第１の実施の形態に係る光散乱型液晶表示素子の構造、および電界を印加していない状態（白表示）での入射光に対する作用を示す断面図である。
【図２】本発明の第１の実施の形態に係る光散乱型液晶表示素子の構造、および電界を印加した状態（黒表示）での入射光に対する作用を示す断面図である。
【図３】液晶分子の構造を示す図である。
【図４】液晶層側から表示側基板へと入射する光の反射の状態を説明した図である。
【図５】液晶層側から表示側基板へと入射する光の反射率Ｒの入射角度依存性を示す特性図である。
【図６】表示側基板の屈折率を変化させた場合における、液晶層側から表示側基板へと入射する光のトータル反射率Ｒtotalの値を示した図である。
【図７】液晶層側から表示側基板へと入射する光のトータル反射率Ｒtotalの屈折率依存性を示す特性図である。
【図８】本発明の第２の実施の形態に係る光散乱型液晶表示素子の構造を示す図である。
【図９】本発明の第２の実施の形態に係る光散乱型液晶表示素子において、液晶層側から低屈折率層へと入射する光の反射の状態を説明した図である。
【図１０】液晶層側から低屈折率層へと入射するＳ波の入射光に対する反射率Ｒと低屈折率層の厚みとの関係を示す特性図である。
【図１１】液晶層側から低屈折率層へと入射するＰ波の入射光に対する反射率Ｒと低屈折率層の厚みとの関係を示す特性図である。
【図１２】本発明の第３の実施の形態に係る光散乱型液晶表示素子の構造を示す図である。
【図１３】本発明の第３の実施の形態に係る光散乱型液晶表示素子における、表示側基板の最表面での光の反射の状態を説明した図である。
【図１４】表示側基板内部から外部へと出射する光の反射率の入射角度依存性を示す特性図である。
【図１５】表示側基板外部から内部へと入射する光の反射率の入射角度依存性を示す特性図である。
【図１６】本発明の一実施例に係る光散乱型表示素子の要部構造を示す図である。
【図１７】実施例に係る光散乱型表示素子における背面側透明電極層の構造を示す平面図である。
【図１８】実施例に係る光散乱型表示素子における印加電圧と素子全体の反射率との関係を示す特性図である。
【図１９】従来の光散乱型液晶表示素子の一構成例を示す断面図である。
【符号の説明】
【００６２】
１０…背面側基板、１１…背面側透明電極層、１２…光吸収層、１３…低屈折率層、２０…表示側基板、２１…表示側透明電極層、２２…反射防止膜（低屈折率層）、３０…液晶層、３１…液晶ドロプレット、３２…ポリマー、４０…入射光。
【図１】
2006163127.tif 000003
【図２】
2006163127.tif 000004
【図３】
2006163127.tif 000005
【図４】
2006163127.tif 000006
【図５】
2006163127.tif 000007
【図６】
2006163127.tif 000008
【図７】
2006163127.tif 000009
【図８】
2006163127.tif 000010
【図９】
2006163127.tif 000011
【図１０】
2006163127.tif 000012
【図１１】
2006163127.tif 000013
【図１２】
2006163127.tif 000014
【図１３】
2006163127.tif 000015
【図１４】
2006163127.tif 000016
【図１５】
2006163127.tif 000017
【図１６】
2006163127.tif 000018
【図１７】
2006163127.tif 000019
【図１８】
2006163127.tif 000020
【図１９】
2006163127.tif 000021